(57)【特許請求の範囲】
【請求項１】
かご室床部、上記かご室床部上に設けられたかご室本体部、及び上記かご室本体部の上端部に設けられたかご室天井部を含むかご室と、上記かご室を載せる下枠、上記かご室天井部の外周を囲む上枠、及び上記下枠及び上記上枠間を繋ぐ縦枠を含むかご枠とを有するかご、
水平方向へ互いに間隔を置いて配置された一対の受け部を有し、上記かごの上部に固定された取付台、
各上記受け部の下方にそれぞれ挿入された一対の対向部を含み上記取付台に対して上下方向へ変位可能な掛け部材と、上記対向部と上記受け部との間にそれぞれ配置され、互いに近づく方向への上記対向部及び上記受け部の変位に逆らう方向へ上記対向部及び上記受け部を付勢する一対の付勢体と、各上記受け部間に配置され、上記掛け部材に接続されたシャックルとを有する綱止め装置、及び
上記シャックルに接続され、上記かごを吊り下げる懸架手段
を備え、
上記シャックルは、上記掛け部材の一対の上記対向部間の部分に接続されていることを特徴とするエレベータ装置。
【請求項２】
上記かご室天井部は、上下方向に沿って見たときに、上記かご室本体部よりも小さくされ、かつ上記かご室本体部の内側に配置されていることを特徴とする請求項１に記載のエレベータ装置。
【請求項３】
上記かご室本体部には、かごドアにより開閉されるかご出入口が設けられており、
上記上枠の一部は、上記かごドアを支持するドアケースとされていることを特徴とする請求項１に記載のエレベータ装置。
【請求項４】
上記掛け部材の上記取付台に対する変位に応じて動作するリンク機構体と、上記リンク機構体の動作に応じた信号を発生する変位検出装置とを有する秤装置
をさらに備えていることを特徴とする請求項１〜請求項３のいずれか一項に記載のエレベータ装置。
【請求項５】
上記取付台には、複数の上記綱止め装置が設けられており、
上記リンク機構体は、各上記掛け部材の上記受け部に対する変位及び各上記掛け部材間の相対的な変位のそれぞれに応じて変位される調整用リンク部材と、上記調整用リンク部材の変位に応じて上記取付台に対して回動される伝達用リンク部材とを有していることを特徴とする請求項４に記載のエレベータ装置。
【請求項６】
上記調整用リンク部材及び上記伝達用リンク部材は、板状部材とされていることを特徴とする請求項５に記載のエレベータ装置。
【発明の詳細な説明】
【技術分野】
【０００１】
この発明は、例えば主ロープ等によって吊り下げられたかごを有するエレベータ装置に関するものである。
【背景技術】
【０００２】
従来のエレベータ装置では、かごを吊り下げる主ロープの端部に棒状のロープシャックルが接続されることにより、主ロープの末端処理が行われている。ロープシャックルは、かごの上枠を上下方向に沿って通されている。ロープシャックルの上枠よりも下方に突出した部分には、ばね受け板が設けられている。ばね受け板と上枠との間には、ロープシャックルが内側に通されたコイルばねが配置されている。主ロープは、コイルばね、ばね受け板及びロープシャックルを介して、かごの荷重を受けている。このようにして、かごは主ロープにより吊り下げられている（特許文献１参照）。【０００３】
【特許文献１】特開２０００−３５５４７５号公報
【発明の開示】
【発明が解決しようとする課題】
【０００４】
しかし、１本の主ロープが受ける荷重のすべてを１つのコイルばねが受けているので、コイルばねが大形化してしまう。また、コイルばねを配置するスペースを上枠の下方に確保する必要があるので、かご全体の高さ方向の寸法が大きくなってしまう。従って、昇降路全体の縮小化を図ることができない。【０００５】
この発明は、上記のような課題を解決するためになされたものであり、昇降路の縮小化を図ることができるエレベータ装置を得ることを目的とする。
【課題を解決するための手段】
【０００６】
この発明によるエレベータ装置は、かご、水平方向へ互いに間隔を置いて配置された一対の受け部を有し、かごの上部に固定された取付台、各受け部の下方にそれぞれ挿入された一対の対向部を含み取付台に対して上下方向へ変位可能な掛け部材と、対向部と受け部との間にそれぞれ配置され、互いに近づく方向への対向部及び受け部の変位に逆らう方向へ対向部及び受け部を付勢する一対の付勢体と、各受け部間に配置され、掛け部材に接続されたシャックルとを有する綱止め装置、及びシャックルに接続され、かごを吊り下げる懸架手段を備えている。
【図面の簡単な説明】
【０００７】
【図１】この発明の実施の形態１によるエレベータ装置のかごを示す斜視図である。
【図２】図１のかごを示す縦断面図である。
【図３】図１の上枠を示す斜視図である。
【図４】図１の取付台、綱止め装置及び秤装置を示す斜視図である。
【図５】図４の取付台、綱止め装置及び秤装置を示す側断面図である。
【図６】図５のVI-VI線に沿った断面図である。
【図７】この発明の実施の形態２によるエレベータ装置を示す縦断面図である。
【図８】図７のかご側の綱止め装置を示す縦断面図である。
【図９】図８のかご側の綱止め装置を示す側面図である。
【図１０】図８のかご側の綱止め装置を示す分解斜視図である。
【発明を実施するための最良の形態】
【０００８】
以下、この発明の好適な実施の形態について図面を参照して説明する。
実施の形態１．
図１は、この発明の実施の形態１によるエレベータ装置のかごを示す斜視図である。また、図２は、図１のかごを示す縦断面図である。図において、昇降路内には、かご１及び釣合おもり（図示せず）が懸架手段である複数本（この例では３本）のロープ２によって吊り下げられている。各ロープ２は、昇降路の上部に設置された巻上機の駆動シーブ（図示せず）に巻き掛けられている。かご１及び釣合おもりは、駆動シーブの回転により、昇降路内を昇降される。かご１及び釣合おもりが昇降路内を昇降されるときには、かご１が一対のかごガイドレール（図示せず）に案内され、釣合おもりが一対の釣合おもりガイドレール（図示せず）に案内される。【０００９】
かご１の上部には、取付台３が固定されている。取付台３には、各ロープ２の一端部が個別に接続された複数（この例では３台）の綱止め装置４が保持されている。釣合おもりの上部には、取付台（図示せず）が固定されている。釣合おもりの取付台には、各ロープ２の他端部が個別に接続された複数（この例では３台）の綱止め装置（図示せず）が保持されている。即ち、ロープ２によるかご１及び釣合おもりの吊り下げ方式は、１：１ローピング方式とされている。【００１０】
かご１は、かご室５と、かご室５を支持するかご枠６とを有している。かご室５は、かご室床部７と、かご室床部７上に設けられたかご室本体部８と、かご室本体部８の上端部に設けられたかご室天井部９とを有している。【００１１】
かご室本体部８には、かご出入口１０が設けられている。かご出入口１０の下部には、かご室床部７に固定されたかご敷居１１が配置されている。かご敷居１１は、かご出入口１０の間口方向に沿って配置されている。かご敷居１１の上方には、かご出入口１０を開閉する一対のかごドア１２が配置されている。【００１２】
なお、かご室本体部８のかご出入口１０近傍の部分には、かご室５内で操作可能なかご操作盤１３が設けられている。また、かご敷居１１には、かご敷居１１から下方へ延びる保護板であるエプロン１４が設けられている。【００１３】
かご室天井部９は、かご室５を上下方向に沿って見たときに、かご室本体部８よりも小さくされ、かつかご室本体部８の内側に配置されている。即ち、かご室天井部９の水平断面積はかご室本体部８の水平断面積よりも小さくされ、かつ昇降路の垂直投影面内において、かご室天井部９の領域のすべてがかご室本体部８の領域内に配置されている。従って、かご室本体部８とかご室天井部９との境界には、かご室天井部９を囲む段部１５が形成されている。【００１４】
かご枠６は、かご室５を載せる下枠１６と、かご室天井部９の外周を囲む上枠１７と、下枠１６と上枠１７とを繋ぐ一対の縦枠１８とを有している。かご枠６の上下端部には、かごガイドレールに沿って案内されるガイドシュー１９が設けられている。また、下枠１６には、かごガイドレールを把持してかご１の落下を阻止する非常止め装置２０が搭載されている。【００１５】
ここで、図３は、図１の上枠１７を示す斜視図である。上枠１７は、水平方向についてかご室天井部９を囲む矩形状の外枠２１と、外枠２１の内側に固定され、かご室天井部９の上方に配置された内枠２２とを有している。外枠２１及び内枠２２は、中空の角パイプにより構成されている。【００１６】
外枠２１の上面の位置はかご室天井部９の上面よりも高い位置とされ、外枠２１の下面の位置はかご室天井部９の上面よりも低い位置とされている（図２）。また、外枠２１の内周面は、上枠１７を上下方向に沿って見たときに、かご室本体部８の外周よりも内側に位置している。【００１７】
外枠２１は、かご１の奥行き方向について対向する外枠前梁部２３及び外枠後梁部２４と、外枠前梁部２３及び外枠後梁部２４の両端部間を繋ぐ一対の外枠側梁部２５とを有している。外枠側梁部２５は、各縦枠１８の上端部にそれぞれ固定されている。【００１８】
外枠前梁部２３は、図１に示すように、かご出入口１０の上方に配置されている。また、外枠前梁部２３には、かご出入口１０の間口方向に沿ったドアレール（図示せず）が固定されている。各かごドア１２は、ドアレールに掛けられている。また、各かごドア１２は、かご１に搭載されたドア駆動装置の駆動力によりドアレールに沿って移動される。かご出入口１０は、各かごドア１２がドアレールに沿って移動されることにより開閉される。即ち、上枠１７の一部である外枠前梁部２３は、各かごドア１２を支持するドアケースとして兼用されている。【００１９】
内枠２２は、外枠前梁部２３及び外枠後梁部２４に固定されている。また、内枠２２は、各外枠側梁部２５と平行に配置された一対の内枠縦梁部２６と、各内枠縦梁部２６間に固定され、かご１の奥行き方向について間隔を置いて配置された一対の内枠横梁部２７とを有している。各内枠縦梁部２６及び各内枠横梁部２７により囲まれた範囲は、かご１を上下方向に沿って見たときに、かご室天井部９のほぼ中央に位置している。【００２０】
取付台３は、図１に示すように、内枠２２に固定されている。また、取付台３は、各内枠縦梁部２６及び各内枠横梁部２７により囲まれた範囲内に配置されている。内枠２２には、かご１の荷重を検出する秤装置２８が取り付けられている。【００２１】
図４は、図１の取付台３、綱止め装置４及び秤装置２８を示す斜視図である。また、図５は、図４の取付台３、綱止め装置４及び秤装置２８を示す側断面図である。さらに、図６は、図５のVI-VI線に沿った断面図である。図において、取付台３は、内枠２２に水平に固定された支持板２９と、支持板２９の上面に固定され、水平方向へ互いに間隔を置いて配置された一対の受け金具（受け部）３０とを有している。【００２２】
支持板２９は、図５に示すように、縁部が各内枠横梁部２７の下面に当てられた状態でボルト３１により各内枠横梁部２７に固定されている。【００２３】
各受け金具３０は、内枠横梁部２７に沿った方向について互いに間隔を置いて配置されている。また、受け金具３０は、かご１の奥行き方向について対向する一対の脚部３０ａと、各脚部３０ａ間に固定され、支持板２９の上方に配置された水平部３０ｂとを有している。各水平部３０ｂには、ロープ２の本数と同数（この例では３つ）の貫通穴３２がそれぞれ設けられている。受け金具３０は、帯状の金属板を曲げて作製されている。【００２４】
各綱止め装置４は、各水平部３０ｂの下方にそれぞれ挿入された一対の対向部３３ａを含み取付台３に対して上下方向へ変位可能な天秤金具（掛け部材）３３と、対向部３３ａと水平部３０ｂとの間に配置された一対のシャックルばね（付勢体）３４と、各受け金具３０間に配置され、天秤金具３３に接続されたシャックル３５と、各対向部３３ａに固定され、シャックルばね３４及び貫通穴３２を通された案内ボルト（案内軸）３６とを有している。【００２５】
天秤金具３３の各対向部３３ａ間の部分には、シャックル３５との接続用の突起部３３ｂが設けられている。シャックル３５の下端部は、突起部３３ｂにピン３７により接続されている。天秤金具３３は、シャックル３５に対してピン３７を中心に上下方向へ回動可能になっている。シャックル３５の上端部は、かしめられることによりロープ２の端部に接続されている。【００２６】
一対のシャックルばね３４は、水平部３０ｂから受けるかご１の荷重により、対向部３３ａと水平部３０ｂとの間で縮められている。これにより、各シャックルばね３４は、弾性反発力を発生している。即ち、シャックルばね３４は、互いに近づく方向への水平部３０ｂ及び対向部３３ａの変位に逆らう方向へ対向部３３ａ及び水平部３０ｂを付勢している。【００２７】
ロープ２は、各シャックルばね３４、天秤金具３３及びシャックル３５を介してかご１の荷重を受けている。即ち、ロープ２は、一対のシャックルばね３４のそれぞれが受けた荷重の合計荷重を受けている。【００２８】
対向部３３ａは、天秤金具３３のシャックル３５に対する回動、あるいは天秤金具３３の取付台３に対する変位により、水平部３０ｂに対して上下方向へ変位される。対向部３３ａの水平部３０ｂに対する上下方向への変位は、案内ボルト３６が貫通穴３２をスライドされることにより案内される。対向部３３ａの水平部３０ｂに対する変位量は、シャックルばね３４が受けた荷重に応じた量となる。【００２９】
秤装置２８は、秤装置取付金具３８を介して内枠横梁部２７に固定されている。また、秤装置２８は、各天秤金具３３の取付台３に対する変位に応じて動作するリンク機構体３９と、リンク機構体３９の動作に応じた信号を発生する変位検出装置４０とを有している。【００３０】
リンク機構体３９は、各天秤金具３３について、一対の対向部３３ａの一方のみの変位に応じて動作する。即ち、リンク機構体３９と連動する天秤金具３３の部分は、一対の対向部３３ａのうちの一方のみとされている。また、リンク機構体３９は、各天秤金具３３の水平部３０ｂに対する変位及び各天秤金具３３間の相対的な変位のそれぞれに応じて変位される第１及び第２の調整用リンク部材４１，４２と、第１及び第２の調整用リンク部材４１，４２の変位に応じて取付台３に対して回動される伝達用リンク部材４３とを有している。第１及び第２の調整用リンク部材４１，４２及び伝達用リンク部材４３のそれぞれは、板状部材とされている。【００３１】
第１の調整用リンク部材４１は、各天秤金具３３の一方の対向部３３ａにそれぞれ設けられた３本の案内ボルト３６のうち、一端側及び中央にそれぞれ配置された２本の案内ボルト３６の上端部に上方から当接されている。【００３２】
第２の調整用リンク部材４２は、３本の案内ボルト３６のうち、他端側に配置された残りの１本の案内ボルト３６の上端部に上方から当接されているとともに、第１の調整用リンク部材４１にピン４４により回動可能に接続されている。ピン４４は、図５に示すように、第１の調整用リンク部材４１と２本の案内ボルト３６との間の２つの当接点のそれぞれから等距離となる位置に配置されている。従って、ピン４４の取付台３に対する変位量は、一端側及び中央の２本の案内ボルト３６の取付台３に対する変位量の平均値となる。【００３３】
伝達用リンク部材４３は、秤装置取付金具３８に固定された支え金具４５にピン４６により回動可能に取り付けられている。ピン４６は、伝達用リンク部材４３の中間部に設けられている。伝達用リンク部材４３の一端部は、第２の調整用リンク部材４２にピン４７により回動可能に接続されている。伝達用リンク部材４３の他端部には、変位検出装置４０を押さえる当て板４８が固定されている。【００３４】
伝達用リンク部材４３の回動量は、各天秤金具３３の一方の対向部３３ａのそれぞれの変位量の平均値に応じた量とされている。従って、ピン４７は、第２の調整用リンク部材４１が案内ボルト３６に当接されている点からの距離よりもピン４４からの距離が短くなる位置に配置されている。即ち、ピン４４の変位量はすでに２本の案内ボルト３６の変位量が平均された量となっていることから、伝達用リンク部材４３の回動量におけるピン４４の変位量の影響を大きくするために、第２の調整用リンク部材４１が案内ボルト３６に当接されている点からの距離よりもピン４４に近い位置にピン４７が配置されている。これにより、３つの対向部３３ａの水平部３０ｂに対する変位量の平均値が伝達用リンク部材４３の回動量に精度良く反映される。【００３５】
変位検出装置４０は、当て板４８の下方に配置されている。また、変位検出装置４０は、秤装置取付金具３８に取り付けられた作動トランス４９と、作動トランス４９に対して上下方向へ変位可能で、当て板４８により下方へ押さえられている検出棒５０と、検出棒５０の下方への変位に逆らう方向へ検出棒５０を付勢する戻しばね５１とを有している。【００３６】
検出棒５０の上端部は、戻しばね５１の付勢力により上方の当て板４８に押し当てられている。従って、検出棒５０は、伝達用リンク部材４３の回動に応じて作動トランス４９に対して上下方向へ変位される。検出棒５０には、ばね受け板５２が固定されている。【００３７】
戻しばね５１は、検出棒５０が内側に通されたコイルばねとされている。また、戻しばね５１は、作動トランス４９とばね受け板５２との間で縮められている。これにより、戻しばね５１は、検出棒５０を当て板４８に押し当てる付勢力を発生する。【００３８】
作動トランス４９は、取付バンド５３及びボルト５４により秤装置取付金具３８に保持されている。また、作動トランス４９は、検出棒５０の変位に応じた信号を発生する。【００３９】
作動トランス４９からの信号は、エレベータの運転を制御する制御装置（図示せず）へ送られる。制御装置は、各ロープ２が受ける荷重の平均値に応じた信号として作動トランス４９からの信号を受け、作動トランス４９から受けた信号に基づいて、エレベータの運転を制御する。【００４０】
このようなエレベータ装置では、かご１の荷重を受ける天秤金具３３の各対向部３３ａが各受け金具３０の下方にそれぞれ挿入され、一対のシャックルばね３４が対向部３３ａと受け金具３０との間に配置されているので、共通のロープ２が受ける荷重を各シャックルばね３４で分担して受けさせることができる。従って、各シャックルばね３４が受けるそれぞれの荷重を小さくすることができ、各シャックルばね３４の小形化を図ることができる。また、天秤金具３３によってシャックル３５及び各シャックルばね３４を水平方向へ並べることができるので、綱止め装置４の高さ方向の寸法の縮小化を図ることができ、かご１の高さ方向の寸法の縮小化を図ることができる。従って、昇降路の縮小化を図ることができる。【００４１】
また、上枠１７は、かご室天井部９の外周を囲んでいるので、かご室天井部９の上面の位置よりも上枠１７の下面の位置を低くすることができる。従って、かご１の高さ方向の寸法の縮小化をさらに図ることができる。【００４２】
また、かご室天井部９は、かご室５を上下方向に沿って見たときに、かご室本体部８よりも小さくされ、かつかご室本体部８の内側に配置されているので、上枠１７の水平方向の寸法を小さくすることができる。これにより、かご１の水平方向の寸法の縮小化を図ることができる。【００４３】
また、かご室本体部８には、かごドア１２により開閉されるかご出入口１０が設けられており、上枠１７の一部がかごドア１２を支持するドアケースとされているので、上枠１７とドアケースとを兼用することができ、部品点数を削減することができる。これにより、かご１全体の軽量化を図ることができる。【００４４】
また、秤装置２８は、天秤金具３３の取付台３に対する変位に応じて動作するリンク機構体３９と、リンク機構体３９の動作に応じた信号を発生する変位検出装置４０とを有しているので、リンク機構体３９の変位の伝達により、天秤金具３３から離れた位置に変位検出装置４０を配置することができる。従って、綱止め装置４から水平方向へ離して変位検出装置４０を配置することができ、かご１の高さ方向の寸法が大きくならない範囲で変位検出装置４０の設置スペースを容易に確保することができる。【００４５】
また、リンク機構体３９は、各天秤金具３３の受け金具３０に対する変位及び各天秤金具３３の相対的な変位のそれぞれに応じて変位される第１及び第２の調整用リンク部材４１，４２と、第１及び第２の調整用リンク部材４１，４２の変位に応じて取付台３に対して回動される伝達用リンク部材４３とを有しているので、第１及び第２の調整用リンク部材４１，４２に対する伝達用リンク部材４３の接続位置を適切に設定することにより、伝達用リンク部材４３の回動量を、各天秤金具３３の変位量の平均値に応じた量にすることができる。これにより、各天秤金具３３の取付台３に対する変位量の平均値を容易に検出することができる。【００４６】
また、第１及び第２の調整用リンク部材４１，４２及び伝達用リンク部材４３は、板状部材とされているので、各リンク部材４１，４２，４３間のピンによる接続を容易にすることができる。【００４７】
実施の形態２．
図７は、この発明の実施の形態２によるエレベータ装置を示す縦断面図である。図において、昇降路内には、一対のかごガイドレール６１と一対の釣合おもりガイドレール（図示せず）とが設置されている。かご１は各かごガイドレール６１間に配置され、釣合おもり６２は各釣合おもりガイドレール間に配置されている。かご１及び釣合おもり６２は、昇降路内の上部に設けられた巻上機６３の駆動力により、昇降路内を昇降される。かご１及び釣合おもり６２が昇降されるときには、かご１が各かごガイドレール６１に案内され、釣合おもり６２が各釣合おもりガイドレールに案内される。【００４８】
かご１及び釣合おもり６２は、複数本（この例では３本）のロープ（懸架手段）２により吊り下げられている。昇降路内の上部には、複数の支持梁６４が固定されている。支持梁６４には、各ロープ２の一端部が個別に接続された複数（この例では３台）のかご側の綱止め装置６５と、各ロープ２の他端部が個別に接続された複数（この例では３台）の釣合おもり側の綱止め装置６６とが支持されている。【００４９】
かご１の下部には、一対のかご吊り車６７が設けられている。釣合おもり６２の上部には、おもり吊り車６８が設けられている。【００５０】
ロープ２は、かご側の綱止め装置６５から、各かご吊り車６７、巻上機６３の駆動シーブ及びおもり吊り車６８の順に巻き掛けられ、釣合おもり側の綱止め装置６６に達している。即ち、ロープ２によるかご１及び釣合おもり６２の吊り下げ方式は、２：１ローピング方式とされている。かご１及び釣合おもり６２は、巻上機６３の駆動シーブの回転により昇降路内を昇降される。【００５１】
図８は、図７のかご側の綱止め装置６５を示す縦断面図である。また、図９は、図８のかご側の綱止め装置６５を示す側面図である。さらに、図１０は、図８のかご側の綱止め装置６５を示す分解斜視図である。図において、支持梁６４の側面には、鉛直に配置された板状の取付ベース６９が固定されている。取付ベース６９には、一方のかごガイドレール６１の上端部が複数のレールクリップ７０により取り付けられている。【００５２】
支持梁６４の上面には、取付台７１が水平に固定されている。取付台７１は、取付ベース６９に固定された複数の補強部材７２上に載せられている。また、取付台７１は、中央に開口部７３が設けられた板状部材とされている。これにより、取付台７１には、水平方向について開口部７３を挟む一対の受け部７４が形成されている。即ち、取付台７１は、水平方向へ互いに間隔を置いて配置された一対の受け部７４を有している。【００５３】
各受け部７４上には、板状のスペーサ７５がそれぞれ重ねられている。各スペーサ７５上には、カバー部材７６が配置されている。取付台７１、一方のスペーサ７５及び一方のカバー部材７６は、複数のボルト７７により支持梁６４の上面にまとめて固定されている。他方のスペーサ７５及び他方のカバー部材７６は、複数のボルト７８により取付台７１にまとめて固定されている。【００５４】
支持梁６４、受け部７４及びスペーサ７５には、ロープ２の本数と同数（この例では３つ）の貫通穴３２がそれぞれ設けられている。支持梁６４、受け部７４及びスペーサ７５のそれぞれに設けられている貫通穴３２の位置は、水平方向についてそれぞれ同位置とされている。【００５５】
各綱止め装置６５は、取付台７１に保持されている。また、綱止め装置６５は、各受け部７４の上方にそれぞれ挿入された一対の対向部３３ａを含み取付台７１に対して上下方向へ変位可能な天秤金具（掛け部材）３３と、対向部３３ａと受け部７４との間にそれぞれ配置された一対のシャックルばね（付勢体）３４と、各受け部７４間に配置され、天秤金具３３に接続されたシャックル３５と、各対向部３３ａに固定され、シャックルばね３４及び貫通穴３２を通された案内ボルト（案内軸）３６とを有している。即ち、各綱止め装置６５の構成は、実施の形態１の綱止め装置４を上下逆さまに配置した構成となっている。【００５６】
天秤金具３３の各対向部３３ａ間の部分には、シャックル３５との接続用の突起部３３ｂが設けられている。シャックル３５の上端部は、突起部３３ｂにピン３７により接続されている。天秤金具３３は、シャックル３５に対してピン３７を中心に上下方向へ回動可能になっている。シャックル３５の下端部は、かしめられることによりロープ２の端部に接続されている。【００５７】
シャックルばね３４は、対向部３３ａとスペーサ７５とに当接している。一対のシャックルばね３４は、ロープ２から受ける荷重により、対向部３３ａと受け部７４との間で縮められている。これにより、各シャックルばね３４は、弾性反発力を発生している。即ち、シャックルばね３４は、互いに近づく方向への受け部７４及び対向部３３ａの変位に逆らう方向へ受け部７４及び対向部３３ａを付勢している。【００５８】
取付台７１は、シャックル３５、天秤金具３３、各シャックルばね３４及び各スペーサ７５を介してロープ２からの荷重を受けている。即ち、一対のシャックルばね３４は、共通のロープ２からの荷重を分担して受けている。【００５９】
対向部３３ａは、天秤金具３３のシャックル３５に対する回動、あるいは天秤金具３３の取付台３に対する変位により、受け部７４に対して上下方向へ変位される。対向部３３ａの受け部７４に対する上下方向への変位は、案内ボルト３６が貫通穴３２をスライドされることにより案内される。対向部３３ａの受け部７４に対する変位量は、シャックルばね３４が受けた荷重に応じた量となる。【００６０】
各ロープ２からの荷重の平均値は、図示しない秤装置取付金具に取り付けられた秤装置２８により検出される。秤装置２８及び他の構成は実施の形態１と同様である。【００６１】
このようなエレベータ装置では、ロープ２からの荷重を受ける天秤金具３３の各対向部３３ａが各受け部７４の上方にそれぞれ挿入され、一対のシャックルばね３４が対向部３３ａと受け部７４との間にそれぞれ配置されているので、共通のロープ２からの荷重を一対のシャックルばね３４で分担して受けさせることができる。従って、各シャックルばね３４が受けるそれぞれの荷重を小さくすることができ、各シャックルばね３４の小形化を図ることができる。また、天秤金具３３によってシャックル３５及び各シャックルばね３４を水平方向へ並べることができるので、綱止め装置６５の高さ方向の寸法の縮小化を図ることができる。従って、昇降路の縮小化を図ることができる。【００６２】
なお、各上記実施の形態では、かご１及び釣合おもりを吊り下げる懸架手段としてロープ２が用いられているが、懸架手段をベルトとしてもよい。【００６３】
また、各上記実施の形態では、ロープ２の本数が３本とされているが、これに限定されず、ロープ２の本数を１本、２本あるいは４本以上としてもよい。この場合、リンク機構体３９の調整用リンク部材の数は、ロープ２の本数に応じた数とされる。ロープ２の本数が１本である場合には、調整用リンク部材はなくてもよい。
【図１】
0005398724.tif 000002
【図２】
0005398724.tif 000003
【図３】
0005398724.tif 000004
【図４】
0005398724.tif 000005
【図５】
0005398724.tif 000006
【図６】
0005398724.tif 000007
【図７】
0005398724.tif 000008
【図８】
0005398724.tif 000009
【図９】
0005398724.tif 000010
【図１０】
0005398724.tif 000011